(57)【要約】【課題】ＩＧ３通信中のデータ構造、データ受け渡し方法、制御方法を簡単にし、シリコンＤＡＡを使った電話回線経由のＧ３通信を実現する回路に、追加するデータ構成・データ転送制御を少なくし、安価にファクシミリ用モデム装置を実現する。【解決手段】シリコンＤＡＡによるアナログ電話回線とのアナログインターフェース１５、ＩＳＤＮ回線とのデジタルインターフェース１６、アナログ電話回線によるファクシミリ通信で使用されるモデム信号とＩＳＤＮ回線で使われる信号とを双方向に変換する手段１３，１４、ＩＳＤＮ回線でＧ３通信を行うとき、シリコンＤＡＡとＩＳＤＮ双方からシリアル通信要求を受付け、双方に必要なデータを供給する割り込み処理機構部１２、バッファを有し、バッファの構成は、シリコンＤＡＡを使う電話回線による通信の場合を基に、ＩＳＤＮ経由のＧ３通信を行う場合に拡張構成をとり、ソフトウエアによる制御でデータ転送経路を変えるようにする。【選択図】図１
2006253930.tif 000002
【特許請求の範囲】
【請求項１】
シリコンＤＡＡによるアナログ電話回線とのアナログインターフェース、
ＩＳＤＮ回線とのデジタルインターフェース、
アナログ電話回線によるファクシミリ通信で使用されるモデム信号とＩＳＤＮ回線で使われる信号とを双方向に変換する手段、
ＩＳＤＮ回線でＧ３通信を行うとき、前記シリコンＤＡＡとＩＳＤＮ双方からシリアル通信要求を受付け、双方に必要なデータを供給する割り込み処理機構部、
およびバッファを有し、
前記バッファの構成は、前記シリコンＤＡＡを使う電話回線による通信の場合を基に、ＩＳＤＮ経由のＧ３通信を行う場合に拡張構成をとり、ソフトウエアによる制御でデータ転送経路を変えるようにしたことを特徴とするファクシミリ用モデム装置。
【請求項２】
ＰＳＴＮ回線と間のファクシミリ通信の場合に、ＤＳＰ部からの送受信データをモデムＣＯＤＥＣ用のインターフェースフォーマットに変換するシステムサイドデバイス用シリアルインターフェース部と、
モデムＣＯＤＥＣ用のインターフェースフォーマットに対応し、ＤＳＰ部からのＦＡＸ信号を、絶縁コンデンサを通過する信号に変換するシステムサイドデバイスと、
該絶縁コンデンサを通して伝送されたＤＳＰ部からのファクシミリ信号を回線にアナログ信号として伝送するラインサイドデバイスと、
前記システムサイドデバイスからのスピーカ出力用のアナログ出力を、スピーカに伝達して通信状況をモニタするスピーカ回路と、
ＩＳＤＮ回線との間のファクシミリ通信の場合に、ＩＳＤＮ回線との間で送受信制御を行うＩＳＤＮ用シリアルインターフェース部とを具備したことを特徴とするファクシミリ用モデム装置。
【請求項３】
スピーカ出力データを作成する機能部を備えたファクシミリ用モデム装置であって、
ＤＳＰ部内のμ／Ａｌａｗ変換機能部により変換された送信μ/Ａｌａｗデータおよび受信μ/Ａｌａｗデータをそれぞれ復号する復号回路と、
該復号回路で復号されたデータを入力し、送信ゲイン係数および受信ゲイン係数をそれぞれ乗算する乗算回路と、
各乗算回路の出力を加算し、バッファへ出力する加算回路とを備えたことを特徴とするファクシミリ用モデム装置。
【請求項４】
プログラム制御により、ファクシミリ用モデム装置から送信を行う送信方法において、
ＤＳＰは、第２送信データバッファにアクセスして、空きがあるか否かの確認の読み出しを行い、空きがあれば、
前回のレート変換時にできたサンプルが転送されずに残っている場合、これを転送し、
第１送信データバッファにアクセスして、モデム変調データがあるか否かの確認の読み出しを行い、データがあれば、
前記第２送信データバッファにアクセスして、空きがあるか否かの確認の読み出しを行い、空きがあれば、
該第１送信データバッファにアクセスして、該バッファから変調データを１つを取出し、サンプリング変換機能部でサンプリングレート変換を行うとともに、μ／Ａｌａｗ変換機能部でμ/Ａｌａｗへの変換を実行し、
変換の結果、ＩＳＤＮ通信用データを出力し、レート変換して出力されたサンプルの転送を行うことを特徴とするファクシミリ送信方法。
【請求項５】
プログラム制御により、ファクシミリ用モデム装置で受信を行う受信方法において、
ＤＳＰは、前回の受信データレート変換時にできたサンプルが転送されずに残っている場合には、第１受信データバッファにアクセスして、読み出したサンプルデータを転送し、
第２受信データバッファにアクセスして、データがあるか否かの確認の読み出しを行い、データがあれば、
該第２受信データバッファにアクセスして、該バッファからデータを１つ読み出し、該データを復号回路でＰＣＭデータに復号化し、
サンプリング変換機能部においてサンプリングレート変換を行い、
データレート変換して出力されたデータを、レート変換後の受信データ列としてバッファにストアし、
レート変換したデータがあり、第１受信データバッファに空きがあれば、これを転送し、
モデム変調、復調のスタートフラグをセットできるか否かを判定し、
該第１送信データバッファのデータをすべて転送し終えており、また第１受信データバッファをモデム復調のためのデータですべて埋めた場合、モデム変調データをストアする面と送信データとしてレート変換する対象バッファを入れ替え、
また、モデム受信部が復調のために取出すデータを揃える面と、レート変換後のデータをストアする対象面を入れ替え、
モデム変復調処理を再開するためモデム変調、復調のスタートフラグを第１送信データバッファおよび第１受信データバッファにセットすることを特徴とするファクシミリ受信方法。
【発明の詳細な説明】
【技術分野】
【０００１】
本発明は、ファクシミリ装置において、シリコンＤＡＡ回路を用いたファクシミリ用通信装置（モデム装置）およびその送受信方法に関する。
【背景技術】
【０００２】
従来より、ファクシミリのＩＧ３（Ｇ３）のＰＣＭデータには、送信ＰＣＭデータと受信ＰＣＭデータが存在するため、アナログ信号に変換する回路が少なくとも２個必要となり、さらに送信アナログ信号と受信アナログ信号を加算する回路が必要であった。
そこで提案されたのは、送信アナログ信号と受信アナログ信号を不要にしたファクシミリ等の通信端末装置である。例えば、特開２００４−１１２６８２号公報（特許文献１参照）に記載の「通信端末装置」では、シリコンＤＡＡを用いて電話回線を使ったファクシミリ通信を行うモデムＤＳＰに、μｌａｗ/Ａｌａｗ変換機能とサンプリング周波数変換機能を加えることで実現できることが開示されている。
【０００３】
すなわち、前記公報に記載の「通信端末装置」は、送信データの生成と受信データの復元を行うとともに、送受信データとＰＣＭとの変換処理を行うモデムＤＳＰ（Ｄｉｇｉｔａｌ  Ｓｉｇｎａｌ  Ｐｒｏｃｅｓｓｏｒ）と、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線を介して他の装置との送受信を行うＩＳＤＮ制御部と、該ＩＳＤＮ制御部との間で音声符号化データのやり取りを行うＰＣＭＩ／Ｆと、該モデムＤＳＰにて生成した送信データと、該ＰＣＭＩ／Ｆを介して該ＩＳＤＮ制御部から送られてくる送信データを加算して、モニタ音声データを生成するモニタ音声データ生成部とを具備している。
【０００４】
上記発明を実現するにあたり、ＩＧ３機能を実現するために追加される部分はなるべく少なく、電話回線からの通信で使える部分はそのまま使った方が、コスト面からも有利である。また、ＩＧ３通信の場合、ＩＳＤＮインターフェースは８ＫＨｚ周期でデータ送受信し、モデム処理では9600Hz等のモデムに都合のよいサンプリング周波数のデータで変調・復調処理するため、サンプリング変換は必要であるが、サンプルデータを受け渡しするための制御が必要でなる。さらに、ＩＧ３通信を行っているときに通信状況をモニタするため、シリコンＤＡＡにデータを送る場合には、ＩＳＤＮとは別の８ＫＨｚ周期でデータを受け渡しする必要があり、制御が必要となるが、それらについては、上記公報には提示、開示されていない。
【０００５】
【特許文献１】特開２００４−１１２６８２号公報
【発明の開示】
【発明が解決しようとする課題】
【０００６】
前述のように、従来、ＩＧ３を用いたファクシミリのモデム処理では、ＩＧ３機能を実現するために追加する部分が多く、サンプリング周波数のデータで変調・復調処理も必要であった。
【０００７】
（目的）
本発明の目的は、上記従来の問題点を解消し、ＩＧ３通信中のデータ構造、データ受け渡し方法、制御方法を簡単にするものであり、シリコンＤＡＡを使った電話回線経由のＧ３通信を実現する構成に対して、追加するデータ構成・データ転送制御を少なくし、安価に実現することが可能なファクシミリ用モデム装置およびその送受信方法を提供することにある。
【課題を解決するための手段】
【０００８】
本発明のファクシミリ用モデム装置は、シリコンＤＡＡによるアナログ電話回線とのアナログインターフェースと、ＩＳＤＮ回線とのデジタルインターフェースと、アナログ電話回線によるファクシミリ通信で使用されるモデム信号とＩＳＤＮ回線で使われる信号とを双方向に変換する機能と、ＩＳＤＮ回線でＧ３通信を行うとき、シリコンＤＡＡとＩＳＤＮ双方からシリアル通信要求を受付け、双方に必要なデータを供給する割り込み処理機構と、バッファ構成とを有し、該バッファの構成として、シリコンＤＡＡを使う電話回線による通信の場合を基に、ＩＳＤＮ経由のＧ３通信を行う場合に拡張構成をとり、ソフトウエアにより制御でデータ転送経路を変えることができるようにする。
【発明の効果】
【０００９】
本発明によれば、従来のモデムを実現するＤＳＰに若干のメモリ、プログラムの追加するだけで、シリコンＤＡＡを使った電話回線経由のＧ３通信と、ＩＳＤＮによるＧ３通信の両方を実現するモデムＤＳＰを提供することができる。
【発明を実施するための最良の形態】
【００１０】
図１は、本発明のＤＳＰを含んだモデムシステムの全体構成図である。
モデムＤＳＰ部であるモデムＤＳＰチップ１１は、ＦＡＸ信号の変復調処理をデジタル信号処理で行うＤＳＰ部１２と、シリコンＤＡＡのシステムサイドデバイス１８と、シリアルでデータを送受信するシステムサイドデバイス用シリアルインターフェース部１５と、ＩＳＤＮインターフェース部２４と、シリアルでデータを送受信するＩＳＤＮインターフェース用シリアルインターフェース部１６とから構成される。その他に、アナログ信号の送受信用としてラインサイドデバイス２１と、モニタ用としてスピーカ回路１９と、スピーカ２０とが設けられる。なお、ＩＳＤＮインターフェース部２４は、ＩＳＤＮ通信ブロック２３に内蔵されている。また、ＤＳＰ部１２には、サンプリング変換機能部１３とμ／Ａｌａｗ変換機能部１４が内蔵される。
【００１１】
本実施例では、アナログ電話回線によるファクシミリ通信で使用されるモデム信号とＩＳＤＮ回線で使われる信号とを双方向に変換する手段として、μ／Ａｌａｗ変換機能部１４が備えられ、また、ＩＳＤＮ回線でＧ３通信を行うとき、前記シリコンＤＡＡとＩＳＤＮ双方からシリアル通信要求を受付け、双方に必要なデータを供給する割り込み処理機構部がＤＳＰ部１２内に備えられている。
また、インターフェース部１５，１６に内蔵されるバッファの構成は、シリコンＤＡＡを使う電話回線による通信の場合を基に、ＩＳＤＮ経由のＧ３通信を行う場合に拡張構成をとり、ソフトウエアによる制御でデータ転送経路を変えるようにしている。
【００１２】
ＰＳＴＮ回線と間のＦＡＸ通信の場合には、ＤＳＰ部１２からの送受信データはシステムサイドデバイス用シリアルインターフェース部１５により、モデムＣＯＤＥＣ用のインターフェースフォーマットに変換される。モデムＣＯＤＥＣ用のインターフェースフォーマットは、１６ビットリニアのデータ長で、接続されるフェーズや接続されるシンボルレートによりサンプリング周波数が変化する。システムサイドデバイス１８はモデムＣＯＤＥＣ用のインターフェースフォーマットに対応しており、ＤＳＰ部１２からのＦＡＸ信号は、システムサイドデバイス１８で絶縁コンデンサＣを通過する信号に変換される。絶縁コンデンサＣを通して伝送されたＤＳＰ部１２のＦＡＸ信号は、ラインサイドデバイス１８で回線にアナログ信号として伝送される。また、システムサイドデバイス１８はスピーカ出力用のアナログ出力を持ち、スピーカ２０とそれに若干のアナログ回路を付加すれば通信状況がモニタできるように作られている。
【００１３】
図２は、シリコンＤＡＡやモデム用ＣＯＤＥＣを使った場合に、電話回線でのＧ３通信を行う場合のモデムＤＳＰ内部での一般的なデータ構成を示した図である。
以下、従来におけるＧ３通信時のデータの流れについて説明する。
１）送信データフロー
モデム変調部（図示省略）では、１シンボル分に相当する送信データＴＸ  ＳＡＭＰＬＥ３８が生成される。これは、一旦送信データバッファ（１Ａ）３６および（１Ｂ）３４に転送される。送信データバッファ３６，３４は二重構成になっており、それぞれＡ面、Ｂ面とする。
モデム部が作成したデータを片側に転送しているとき、もう片方の送信データは割り込みが発生するごとに送信データシフトレジスタ３２に転送され、シリアル出力される。
バッファサイズ分の送信データの生成を終えると、モデム送信部は動作しなくなり、反対のバッファ３４または３６からデータがすべて送出されるのを待つ。すべてのデータを送出し終えると、バッファ面を入れかえ、既に送信部が生成・転送しておいたデータを割り込みのたびに送信データシフトレジスタ３２に送付し、シリアルクロックごとにモデムＣＯＤＥＣ３１に転送する。モデム送信部はそれまでと反対のバッファ面に作成した送信データを転送していく。
【００１４】
２）受信データフロー
次に、受信データのフローを説明する。シリアル受信データは受信データシフトレジスタ３３に保持され、１６ビットそろった時点で割り込みが発生し、受信データバッファ（１Ａ）３７および（１Ｂ）３５に転送される。受信データバッファ３７，３５も二重構成になっており、それぞれＡ面、Ｂ面とする。受信データは割り込みが発生するごとにバッファ３７，３５の片側に転送され、モデムはもう片方のバッファ３７または３５からデータを取り出し、それを受信データとして復調を行う。バッファサイズ分の受信データを復調すると、モデム復調部（図示省略）は動作しなくなり、反対側のバッファ３７または３５が一杯になるまで待つ。バッファ３７または３５が受信データで一杯になると、対象とするバッファ面を入れ替え、復調部は貯っている受信データを取り出して復調し、割り込み処理では、受信シリアルデータを空になっている方のバッファ面に格納していく。
【００１５】
図３は、本発明の一実施例に係るデータフロー図である。
ＩＧ３通信実行時に、シリコンＤＡＡ４１のスピーカ出力から通信状況をモニタする場合、シリコンＤＡＡ４１，ＩＳＤＮ４２と２系統のシリアルインターフェイスを持つ必要がある。シリコンＤＡＡ４１は通信モニタのためのものであり、受信データは処理する必要がなく、送信データはＩＧ３通信の割り込みが発生したときに、ＩＧ３送信データおよびＩＧ３受信データを復号してＰＣＭデータにしたのち、ゲインを乗算して加算し、スピーカ出力用データ４７とする。
【００１６】
シリコンＤＡＡ４１のサンプリング周波数は、ＩＳＤＮ-ＩＦ４２と同様に８ＫＨｚに設定しておけば、基本的には過不足は発生しない。しかし、理想的には同じであっても、実際は、双方のクロックにはわずかなずれがある。このため、生成したスピーカデータは深さ２のバッファＳＰＫ  ＯＵＴ４７に保持する。シリコンＤＡＡ４１のサンプリング周波数が若干遅い場合に、既に２つ以上のスピーカ出力用データがＳＰＫ  ＯＵＴバッファ４７に存在する場合は、そのデータは破棄する。これにより、モニタデータの連続性は途切れる部分が出てくるが、バッファサイズを大きくする必要がなくなる。シリコンＤＡＡ４１のサンプリング周波数の方が早い場合には、前回送信したものと同じものをシリコンＤＡＡ４１に送ることで対処する。
【００１７】
ＩＳＤＮは８ＫＨｚ,８ｂｉｔ(６４Ｋｂｐｓ)でデータを送受信するが、送信データバッファ（２Ａ）５０および（２Ｂ）４８から８ＫＨｚの割り込みごとにデータを取り出し、受信データも８ＫＨｚの割り込みごとに受信データバッファ（２Ａ）５１および（２Ｂ）４９に格納する。送信・受信データバッファ４８〜５１もバッファ５２〜５５と同様に二重構造になっており、割り込みベースでやり取りされる面とモデム処理側がやり取りする面である。モデム変調部（図示省略）はＳＤＡＡを使った通信の場合と全く変わらず、送信データバッファ５２，５４に生成した送信データを書き込み、モデム復調部（図示省略）は受信データバッファ５２，５４から取り出す。送信データバッファ５２，５４と４８，５０の間のデータ転送、および受信データバッファ５３，５５と４９，５１の間のデータ転送は、レート変換シーケンサが行う。
【００１８】
図５は、本発明におけるレート変換シーケンサの処理フローチャートである。
以下、図５の各ステップ毎に処理を説明する。
（ａ）送信データフロー
１)送信データバッファ（２）４８，５０に空きがあるか否かの確認を行い、空きがなければ、７)以降の受信データの処理に移る。
２）前回のレート変換時にできたサンプルが転送されずに残っている場合、これを転送する。
３）送信データバッファ（１）５２，５４にモデム変調データがあるか否かを確認し、なければ、７)以降の受信データの処理に移る。
【００１９】
４）送信データバッファ（２）４８，５０に空きがあるか否かを確認し、空きがなければ、７）以降の受信データの処理に移る。
５）送信データバッファ（１）５２，５４から変調データを１つを取出し、サンプリング変換機能部１３でサンプリングレート変換を行うとともに、μ／Ａｌａｗ変換機能部１４でμ/Ａｌａｗへの変換を実行する。変換の結果、０〜２個の８ＫＨｚＩＳＤＮ通信用データが出力される。モデム変調データのサンプリング周波数が８ＫＨｚより大きい場合には、０又は１個のデータが出力され、８ＫＨｚより小さい場合は１又は２個のデータが出力される。
６）レート変換して出力されたサンプルの転送を行う。０個の時には何もせず、１個のときこれを転送する。２個のときには、送信データバッファ（２）４８，５０に空きがある場合にのみ転送を実施する。空きがない場合には、次回レートコンバータがコールされるとき、上記２)で転送される。
【００２０】
（ｂ）受信データフロー
次に、受信データの処理を説明する。
７)前回の受信データレート変換時にできたサンプルが転送されずに残っていて、受信データバッファ（１）５３，５５に空きがある場合には、これを転送する。
８）受信データバッファ（２）４９，５１にデータがあるか否かを確認し、なければ、１２)に飛ぶ。
９)受信データバッファ（２）４９，５１からデータを１つ読み出し、ＰＣＭデータに復号化し、サンプリング変換機能部１３においてサンプリングレート変換を行う。
１０)データレート変換して出てきたデータを、レート変換後の受信データ列としてバッファにストアする。
１１)レート変換したデータがあり、受信データバッファに空きがあれば、これを転送する。
１２)モデム変調、復調のスタートフラグ(ＭＯＤＥＬ  ＥＮＡＢＬＥ)をセットできるか否かを判定する。送信データバッファ（１）５２，５４のデータをすべて転送し終えており、また受信データバッファ（１）５３，５５をモデム復調のためのデータですべて埋めた場合、モデム変調データをストアする面と送信データとしてレート変換する対象バッファを入れ替え、また、モデム受信部が復調のために取出すデータを揃える面と、レート変換後のデータをストアする対象面を入れ替える。そして、モデム変復調処理を再開するためＭＯＤＥＬ  ＥＮＡＢＬＥをセットする。ＭＯＤＥＬ  ＥＮＡＢＬＥは変調部、復調部が送信データバッファ（１）５２，５４に変調データをすべてセットし、受信データバッファ（１）５３，５５のデータをすべて復調したとき０とする。
以上が、データフローとデータ制御の説明である。
【００２１】
図４は、スピーカ出力データ作成部の動作説明図である。
スピーカ出力データ作成部は、図１のＤＳＰ部１２内のサンプリング変換機能部１３およびμ／Ａｌａｗ変換機能部１４と、システムサイドデバイス１８と、スピーカ回路１９とを有している。
μ／Ａｌａｗ変換機能部１４により変換された送信μ/Ａｌａｗデータ６１と、μ／Ａｌａｗ変換機能部１４により変換された受信μ/Ａｌａｗデータ６２は、それぞれ復号回路６３，６４で復号された後、乗算回路６５，６６において、送信ゲイン係数および受信ゲイン係数の制御入力により乗算されて出力され、加算回路６７でそれぞれ加算され、バッファへ出力される。
【００２２】
図６は、本発明の一実施例に係るＤＳＰの詳細ブロック図である。
システムサイズデバイス（ＳＤＡＡ）１８とのインターフェースであるシステムサイドデバイス用シリアルインターフェース部７５と、ＩＳＤＮインターフェース部２４とのインターフェースであるＩＳＤＮインターフェース用シリアルインターフェース部７６とを持ち、また、プログラムにしたがって動作するＤＳＰ７２と、プログラムおよびデータを格納するデータメモリ７３、およびプログラムメモリ７４と、ホストＣＰＵ（図示省略）とのインターフェイスであるホスト−インターフェース部７１とを持つ。
ＳＤＡＡ１８経由の電話回線との通信、およびＩＧ３通信を行うための図２，図３に示したデータはデータメモリ７３上に構成する。また、図５のフローで示した制御はプログラムメモリ７４上に構成する。
図３に示すバッファの構成は、前記シリコンＤＡＡを使う電話回線による通信の場合を基に、ＩＳＤＮ経由のＧ３通信を行う場合に拡張構成をとり、ソフトウエアによる制御でデータ転送経路を変えるようにしている。
【００２３】
このように、本実施例においては、従来のシリコンＤＡＡでの通信を実現するモデムＤＳＰ７０にＩＧ３の場合の処理プルグラムを追加し、データ構造もＩＧ３通信用に拡張することで、つまりプログラム処理とデータメモリ領域の若干の追加で、電話回線によるＧ３通信にＩＧ３通信の両機能を持つＤＳＰチップを実現することができる。
【００２４】
図５に示すフローの手順をプログラム化して、ＣＤ−ＲＯＭなどの記録媒体に格納しておけば、Ｗｅｂサーバあるいはその他のコンピュータから、要求があれば、ネットワークを介して上記プログラムをダウンロードするなどにより、該プログラムの販売、貸与、および該プログラムの汎用化が可能である。
【図面の簡単な説明】
【００２５】
【図１】本発明の一実施例に係るＤＳＰを含んだモデムシステムの全体構成図である。
【図２】従来のＤＳＰを含んだモデムシステムのデータフロー図である。
【図３】本発明の一実施例に係るデータフロー図である。
【図４】本発明におけるスピーカ出力データ作成部の構成図である。
【図５】本発明におけるレート変換シーケンサの処理フローチャートである。
【図６】本発明の一実施例に係るモデムＤＳＰチップ内の詳細ブロック図である。
【符号の説明】
【００２６】
１１：モデムＤＳＰチップ
１２：ＤＳＰ部
１３：サンプリング変換機能部
１４：μ／Ａｌａｗ変換機能部
１５：システムサイドデバイス用シリアルインターフェース部
１６：ＩＳＤＮインターフェース用シリアルインターフェース部
１８：システムサイドデバイス
１９：スピーカ回路
２０：スピーカ
２１：ライサイドデバイス
２２：周辺回路
２３：ＩＳＤＮ通信ブロック
２４：ＩＳＤＮインターフェース部
３１：モデムＣＯＤＥＣ
３２：送信データシフトレジスタ
３３：受信データシフトレジスタ
３４，３６：送信データバッファ（１Ａ，１Ｂ）
３５，３７：受信データバッファ（１Ａ，１Ｂ）
３８：送信サンプルデータＴＸ  ＳＡＭＰＬＥ
３９：受信サンプルデータＴＸ  ＳＡＭＰＬＥ
４１：シリコンＤＡＡ
４２：ＩＳＤＮ−ＩＦ
４３，４５：送信データシフトレジスタ
４４，４６：受信データシフトレジスタ
４７：ＳＰＫ  ＯＵＴ（スピーカ出力）
４８，５０：送信データバッファ（２Ａ，２Ｂ）
４９，５１：受信データバッファ（２Ａ，２Ｂ）
５２，５４：送信データバッファ（１Ａ，１Ｂ）
６３，５５：受信データバッファ（１Ａ，１Ｂ）
６１：送信μ/Ａｌａｗデータ
６２：受信μ/Ａｌａｗデータ
６３，６４：復号回路
６５，６６：乗算回路
６７：加算回路
７０：モデムＤＳＰチップ
７１：ＨＯＳＴ−ＩＦ
７２：ＤＳＰ
７３：データメモリ
７４：プログラムメモリ
７５：ＳＤＡＡシリアルインターフェース部
７６：ＩＳＤＮシリアルインターフェース部
Ｃ：絶縁コンデンサ
【図１】
2006253930.tif 000003
【図２】
2006253930.tif 000004
【図３】
2006253930.tif 000005
【図４】
2006253930.tif 000006
【図５】
2006253930.tif 000007
【図６】
2006253930.tif 000008